(57)【要約】【課題】  独居者の安否に関する情報が遠隔地で自動的に分かるようにする。【解決手段】  連絡先のアドレスを入力する入力部と、独居者が日常的に使う電気機器に操作が行われたことを検出する検出部と、所定の条件が満たされたことを判定する制御部と、所定の条件が満たされたとき通信ネットワークを介して連絡先のアドレスにメッセージを送るための通信部を備えた安否確認装置を、独居者の住居に置き、あるいは身辺に携帯して使用する。検出部が電気機器に対する操作を所定の期間以上に渡って検出しなかったとき、独居者の状況に何かが発生したと推定して、制御部は通信ネットワークを介して連絡先に自動的に通知を送る。【選択図】図１
2005057513.tif 000002
【特許請求の範囲】
【請求項１】
電気機器の状態の変化を検出する検出部と、
前記変化が検出されない時間である不使用期間が設定期間を越えたとき、通信ネットワークを介して所定の連絡先に注意を促す信号を送信する通知部と
を具備する安否確認装置。
【請求項２】
請求項１において、
更に、前記不使用期間が、前記設定期間よりも短く設定された確認期間よりも長くなったとき、前記電気機器のユーザに確認を促す信号を出力する出力部
を具備する安否確認装置。
【請求項３】
請求項１または２において、
前記通知部は更に、前記不使用期間が前記設定期間よりも長く、かつ前記変化が検出されたとき、前記連絡先に前記注意を取り消す信号を送信する
安否確認装置。
【請求項４】
請求項１から３のうちのいずれか１項において、
前記通知部は更に、前記連絡先から所定の信号を受け取ったとき、前記変化が検出された最も新しい日時を前記連絡先に送信する
安否確認装置。
【請求項５】
請求項１から４のうちのいずれか１項において、
当該安否確認装置は携帯電話機に組み込まれており、
前記検出部は、前記携帯電話機に対して行われる操作を検出する
安否確認装置。
【請求項６】
請求項１から５のうちのいずれか１項において、
前記検出部は、前記電気機器のリモコン操作に利用される周波数帯の赤外線を検出する
安否確認装置。
【請求項７】
請求項１から６のうちのいずれか１項において、
前記信号は、電子メールを含む
安否確認装置。
【請求項８】
請求項１から７のうちのいずれか１項において、
前記信号は、親子電話の親機と子機との間での通信に用いられる信号である
安否確認装置。
【請求項９】
電気機器の状態の変化を検出するステップと、
前記変化が検出されない時間である不使用期間が設定期間を越えているとき通信ネットワークを介して所定の連絡先に信号を送信するステップ
とを具備する
安否確認方法。
【発明の詳細な説明】
【技術分野】
【０００１】
本発明は、遠隔地に住む者の安否を確認する技術に関する。
【背景技術】
【０００２】
近年、高齢化社会が進み、一人暮らしをする高齢者の健康状態の管理が社会問題となっている。親類あるいは地域の福祉を担当する者は、一人暮らしをする高齢者の住まいを訪れて健康状態を確認する。
【０００３】
安否確認をするためにデジタルテレビジョン受信装置を利用した方法として、緊急連絡先をデジタルテレビジョン受信装置の記憶手段に記憶させる記憶ステップと、デジタルテレビジョン受信装置の使用状況から、デジタルテレビジョン受信装置を利用する対象者が異常状態にあるか否かを判定する判定ステップと、この判定ステップで対象者が異常状態にあると判断したとき、デジタルテレビジョン受信装置に接続された通信ネットワーク上に、記憶ステップで記憶手段に記憶させた緊急連絡先に宛てて、緊急連絡信号を送信する送信ステップとを備える安否確認方法が知られている（特許文献１参照）。
【特許文献１】特開２００２−３１４７１４号公報
【発明の開示】
【発明が解決しようとする課題】
【０００４】
本発明の目的は、遠隔地に住む者の安否に関する情報を自動的に知ることを可能にする安否確認装置を提供することである。
本発明の他の目的は、導入にかかる費用が低い安否確認装置を提供することである。
本発明の更に他の目的は、使用し忘れる可能性を低減する安否確認装置を提供することである。
本発明の更に他の目的は、住まいを留守にしている者の安否を確認することができる安否確認装置を提供することである。
【課題を解決するための手段】
【０００５】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。ただし、それらの番号を、［特許請求の範囲］に記載されている発明の技術的範囲の解釈に用いてはならない。
【０００６】
本発明による安否確認装置（２、２ａ）は、電気機器（２、５１）の状態の変化を検出する検出部（１２、１２ａ）と、変化が検出されない時間である不使用期間（２６）が設定期間（３０）を越えたとき、通信ネットワーク（６、６ａ）を介して所定の連絡先（４、５）に注意を促す信号を送信する通知部（１７、１７ａ）とを具備している。
【０００７】
安否確認装置（２、２ａ）は更に、連絡先を指定する情報（３４）の入力を受け付ける入力部（１３、１３ａ）を具備していることが好ましい。
【０００８】
電気機器としては、携帯電話機、テレビ、炊飯器、電灯に例示される日常的に使用される電気機器が好ましい。
【０００９】
こうした安否確認装置は、遠隔地に住む者の安否に関する情報を自動的に知ることを可能にする。更に、電気機器を通常どおり使用していればよく、それ以外の操作が必要でないため、使用し忘れることが少ない。
【００１０】
こうした安否確認装置は、不使用期間が設定期間を越えないときには通信を行わないため、通信料が低く抑えられる。
【００１１】
本発明による安否確認装置（２、２ａ）は、不使用期間（２６）が、設定期間（３０）よりも短く設定された確認期間（２８）よりも長くなったとき、電気機器（２、５１）のユーザに確認を促す信号を出力する出力部（１１、１１ａ、１５、１５ａ）を具備している。
【００１２】
確認を促す信号に気付いたユーザは、電気機器に操作を行うことで、注意を促す信号が送信されないようにする。こうした安否確認装置によれば、ユーザが無事であるのに注意を促す信号が送信されることが防がれ、信頼性の高い安否確認が行われる。こうした安否確認装置によれば、通信料が更に低く抑えられる。
【００１３】
本発明による安否確認装置（２、２ａ）において、通知部（１７、１７ａ）は、不使用期間（２６）が設定期間（３０）よりも長く、かつ変化が検出されたとき、連絡先（４、５）に注意を取り消す信号を送信する。
【００１４】
こうした安否確認装置によれば、注意を促す信号が送信された後にユーザが電気機器の操作をしたとき、ユーザが無事であることがただちに連絡先に伝わり、ユーザの関係者は安心を得られる。
【００１５】
本発明による安否確認装置（２、２ａ）において、通知部（１７、１７ａ）は、連絡先（４、５）から所定の信号を受け取ったとき、変化が検出された最も新しい日時（２４）を連絡先（４、５）に送信する。
【００１６】
こうした安否確認装置によれば、連絡先にしばらく注意を促す信号が来なかったとき、安否確認装置が正常に動作していることが容易に確かめられる。
【００１７】
本発明による安否確認装置（２、２ａ）は、携帯電話機に組み込まれており、検出部（１２）は、携帯電話機に対して行われる操作を検出する。
【００１８】
こうした安否確認装置によれば、旅行などで外出する場合にも身辺に携帯して持ち歩けるために、住まいを留守にしている者の安否を確認することが可能である。こうした安否確認装置は、携帯電話機が備えている通信機能を利用するために、安価に実現できる。
【００１９】
本発明による安否確認装置（２、２ａ）において、検出部（１２ａ）は、電気機器（５１）のリモコン操作に利用される周波数帯の赤外線（５４）を検出する。
【００２０】
こうした安否確認装置は、リモコンを使用する家庭電化製品の近くに置けば使用できるため、安価に実現でき、更に設置が容易である。
【００２１】
本発明による安否確認装置（２、２ａ）において、信号は、電子メールを含む。
【００２２】
こうした安否確認装置によれば、安否確認装置から送られた信号をいつでも連絡先で受け取り、その内容をいつでも連絡先で確認できるため、安否確認をより確実に行うことができる。
【００２３】
本発明による安否確認装置（２、２ａ）において、信号は、親子電話の親機（５７）と子機との間での通信に用いられる信号（５６）である。
【００２４】
こうした安否確認装置は、市販の親子電話の親機を介して公衆電話網に接続することができるため、安価に実現できる。
【００２５】
本発明による安否確認方法は、電気機器（２、５１）の状態の変化を検出するステップ（Ｓ１０、Ｓ４７）と、変化が検出されない時間である不使用期間（２６）が設定期間（３０）を越えているとき通信ネットワーク（６、６ａ）を介して所定の連絡先（４、５）に信号を送信するステップ（Ｓ２０）とを具備している。
【発明の効果】
【００２６】
本発明によれば、遠隔地に住む者の安否に関する情報を自動的に知ることを可能にする安否確認装置が提供される。
更に本発明によれば、導入にかかる費用が低い安否確認装置が提供される。
更に本発明によれば、使用し忘れる可能性を低減する安否確認装置が提供される。
更に本発明によれば、住まいを留守にしている者の安否を確認することができる安否確認装置が提供される。
【発明を実施するための最良の形態】
【００２７】
［実施の第１形態］
以下、本発明の実施の形態について説明する。本実施の形態における安否確認装置２は、電子メール機能を備えた携帯電話機を用いて実現される。安否確認装置２は、高齢者、独居者に例示されるユーザによって所持される。
【００２８】
図１を参照して、安否確認装置２は、ネットワーク６の基地局８に無線通信によって通信可能に接続されている。ネットワーク６は、基地局８を介して複数の携帯電話機４に通信可能に接続されている。携帯電話機４は、図示しない関係者によって携行されている。関係者は、安否確認装置２のユーザの親類あるいは福祉団体の職員である。
【００２９】
図２を参照して、安否確認装置２は、スピーカ１１と、入力部１３と、記憶部１４と、表示部１５と、制御部１６と、無線部１７とを具備している。スピーカ１１と、入力部１３と、記憶部１４と、表示部１５と、制御部１６と、無線部１７とは、安否確認装置２が携帯電話機として通話機能あるいは電子メール機能を実現するためにも使用される。検出部１２は、携帯電話機に対して行われる操作を検出する。制御部１６はＣＰＵを備えており、記憶部１４に書き込まれている情報を読み出し、スピーカ１１と、入力部１３と、表示部１５と、制御部１６と、無線部１７とを制御している。
【００３０】
図３を参照して、記憶部１４は、メール配信プログラム２０と、設定画面２１と、表示画面２２と、最新使用時間２４と、不使用期間２６と、メッセージ配信確認時間２８と、メッセージ配信時間３０と、メッセージ再配信時間３２と、配信先アドレス３４と、配信メッセージ３６とを格納している。
【００３１】
図４を参照して、設定画面２１は、メッセージ配信時間入力欄４２と、配信先アドレス入力欄４４と、配信メッセージ選択欄４６と、オプション欄４８とを表示する。
【００３２】
図５を参照して、表示画面２２には、メッセージ配信時間表示窓４９が表示される。メッセージ配信時間表示窓４９には、不使用期間２６と、メッセージ配信時間３０とが表示される。
【００３３】
以上の構成を具備する安否確認装置２の動作を以下において説明する。但し、以下の説明において制御部１６がメール配信プログラム２０を読み出し、メール配信プログラム２０に記載された手順に基づいて行う動作は、メール配信プログラム２０が行う動作として記述される。
【００３４】
図６を参照して、安否確認装置２に対して所定の操作がなされると、設定画面２１が表示される。ユーザは、設定画面２１を参照しながら以下に示す項目に関して入力を行う（ステップＳ２）。
【００３５】
ユーザは、メッセージ配信時間入力欄４２にメッセージ配信時間３０を入力し、配信先アドレス入力欄４４に配信先アドレス３４を入力する。配信先アドレス３４は、安否確認装置２を所持するユーザの緊急連絡先として選択された携帯電話機４のアドレスである。配信先アドレス３４としては、安否確認装置を持っているユーザの親類あるいは福祉関係者が選ばれる。配信先アドレス入力欄４４は、配信先アドレス３４が単数であるか複数であるかを選択できるように選択肢が表示されていることが好ましい。
【００３６】
ユーザは更に、配信メッセージ選択欄４６から配信メッセージ３６として定型文を用いるかユーザが設定した文を用いるかを選択する。初期設定としては、定型文を用いることが選択されていることが好ましい。定型文を用いることが選択された場合、配信メッセージ３６として「発信者はＸ時間、携帯電話機をご利用になられておりません」という定型文が用いられる。Ｘの部分には、不使用期間２６が表示される。ユーザが設定した文を用いることを選択した場合、メール配信プログラム２０は図示しない入力画面を表示し、ユーザはその入力画面から配信メッセージ３６を入力する。
【００３７】
ユーザがオプション欄４８を選択すると、図示しない入力画面が表示され、ユーザはその入力画面からメッセージ配信確認時間２８あるいはメッセージ再配信時間３２を入力する。ユーザから入力がなされないとき、メッセージ配信確認時間２８あるいはメッセージ再配信時間３２として初期設定値が用いられる。
【００３８】
初期設定において予め設定された定型文が設定されていることで、ユーザが設定する操作が容易になる。配信メッセージ３６をユーザが変更可能であることによって、ユーザの多様なニーズに応えることができる。
【００３９】
設定画面２１からデータの入力が完了すると、設定画面２１は閉じられ、メール配信プログラム２０は、不使用期間２６をゼロに設定する。メール配信プログラム２０は不使用期間２６のカウントを開始する（ステップＳ４）。
【００４０】
表示画面２２が表示され、安否確認装置２は通常の携帯電話として使用される（ステップＳ５）。
【００４１】
こうした安否確認装置２は、ユーザが旅行などで長期間住まいを離れるとき、ユーザによって持ち歩かれ携帯電話として使用されるために、住まいを留守にしている者の安否を確認することが可能である。
【００４２】
メール配信プログラム２０は、携帯電話機４から予め設定された信号を受け取ったとき（ステップＳ６Ｙｅｓ）、その携帯電話機に「発信者はＸ時Ｙ分に携帯電話機をご利用になりました」というメッセージを送信する。「Ｘ時Ｙ分」の部分には、最新使用時間２４が挿入される（ステップＳ８）。メール配信プログラム２０は、携帯電話機４から予め設定された信号を受け取らなかったとき、ステップＳ１０に移行する（ステップＳ６Ｎｏ）。
【００４３】
こうした安否確認装置２によれば、安否確認装置２を持っているユーザの関係者、例えば親類あるいは福祉関係者は、ユーザが安否確認装置２を使用した最近の時間を知ることが可能である。そのため、安否確認装置２の機能が作動していることが容易に確認される。
【００４４】
ユーザが携帯電話機の使用状況をモニターされることを好まない場合のために、安否確認装置２は、最新使用時間２４の通知を拒否する機能を有していることが好ましい。その機能を利用した場合、ユーザが行う所定の操作によって、「発信者はＸ時Ｙ分に携帯電話機をご利用になりました」というメッセージに代えて、例えば「使用時間非通知設定」というメッセージが送信される。
【００４５】
入力部１３に対して任意の操作が加えられたことを検出部１２が検出すると（ステップＳ１０Ｙｅｓ）、メール配信プログラム２０は、不使用期間２６をゼロにして、ステップＳ６に移行する（ステップＳ１２）。メール配信プログラム２０は、入力部１３に対して操作が加えられないとき、ステップＳ１４に移行する（ステップＳ１０Ｎｏ）。
【００４６】
こうした安否確認装置２によれば、ユーザは通常の携帯電話機としての使用をしていれば安否確認を目的とする操作を行わなくても安否確認が自動的に行われる。更に、ユーザが安否確認装置２を使用し忘れる可能性が低減する。
【００４７】
メール配信プログラム２０は、不使用期間２６がメッセージ配信確認時間２８を過ぎているか否かを判定する（ステップＳ１４）。過ぎていない場合、ステップＳ６に移行する（ステップＳ１４Ｎｏ）。
【００４８】
不使用期間２６がメッセージ配信確認時間２８を過ぎているとき（ステップＳ１０Ｙｅｓ）、メール配信プログラム２０は表示部１５に安否確認装置２のユーザに対して確認を促す確認メッセージを表示させる（ステップＳ１６）。確認メッセージとともにユーザに注意を促す音声がスピーカ１１から出力されることが好ましい。
【００４９】
メール配信プログラム２０は、不使用期間２６がメッセージ配信時間３０を超過していない場合、ステップＳ５に移行する（ステップＳ１８Ｎｏ）。
【００５０】
ユーザは確認メッセージに気付いたとき、安否確認装置２に任意の操作を行うことによって、不使用期間２６をリセットし、配信メッセージ３６が配信されないようにする。こうした安否確認装置２によれば、ユーザが無事であるときに配信メッセージ３６が配信されることが防がれる。こうした安否確認装置２が行う安否確認は、信頼性が高い。
【００５１】
メール配信プログラム２０は、不使用期間２６がメッセージ配信時間３０を超過している場合（ステップＳ１８Ｙｅｓ）、無線部１７を用いて配信先アドレス３４に対して注意を促すための配信メッセージ３６を送信し（ステップＳ２０）、配信メッセージ３６を送信したことを示すメッセージを表示部１５に表示する（ステップＳ２２）。
【００５２】
メール配信プログラム２０は、入力部１３に対して任意の操作が加えられたとき（ステップＳ２４Ｙｅｓ）、安否確認装置２に操作が加えられた旨のメールを配信先アドレス３４に送信する（ステップＳ２６）。メール配信プログラム２０は、入力部１３に対して操作が加えられないとき、ステップＳ２８に移行する（ステップＳ２４Ｎｏ）。
【００５３】
こうした安否確認装置２によれば、ユーザが単に安否確認装置２をしばらく使用しなかっただけで無事であるときに、ユーザが携帯電話としての使用に例示される任意の操作を加えるだけで、ユーザが無事であることが配信先アドレス３４に自動的に伝えられ、ユーザの関係者は安心である。
【００５４】
メール配信プログラム２０は、不使用期間２６がメッセージ配信時間３０にメッセージ再配信時間３２を加えた時間を超過したとき（ステップＳ２８Ｙｅｓ）、無線部１７を用いて配信メッセージ３６を配信先アドレス３４に送信し、ステップＳ２４に移行する（ステップＳ３０）。不使用期間２６がメッセージ配信時間３０にメッセージ再配信時間３２を加えた時間を超過していないとき、ステップＳ２４に移行する（ステップＳ２８Ｎｏ）。
【００５５】
こうした安否確認装置２は、ユーザの安否に関する情報を、ユーザから離れた場所にいる関係者が自動的に知ることを可能にする。さらに携帯電話機の通信機能を用いた安否確認装置２は、導入あるいは使用にかかる費用が安い。
【００５６】
こうした安否確認装置２によれば、不使用期間２６がメッセージ配信時間３０よりも短い間、ユーザが安否確認装置２を携帯電話機として操作したとき、連絡先との間で通信は行われない。こうした安否確認装置２は、携帯電話の使用状況をモニターされることを好まないユーザにも心理的な抵抗が少なく使用される。
【００５７】
［実施の第２形態］
以下、実施の第２形態における安否確認装置２ａについて説明する。図８を参照して、安否確認装置２ａは、家庭用の親子電話の子機と同じ通信機能を備えており、家庭用の親子電話の親機としての機能を備えた電話機５７と無線による通信が可能である。電話機５７は公衆電話回線網に例示されるネットワーク６ａに接続されている。ネットワーク６ａは、基地局８を介して携帯電話機４に通信可能に接続されている。ネットワーク６ａは固定電話機５に接続されている。携帯電話機４と固定電話機５は、安否確認装置２ａを所持するユーザの関係者によって使用される。
【００５８】
図９を参照して、安否確認装置２ａはテレビ５１に例示されるリモコンによって操作可能な家庭電化製品の近くに設置して使用される。家庭電化製品は、日常生活で恒常的に使用されるものであることが好ましい。テレビ５１はリモコン５３が発するリモコン信号５４を受光するリモコン受光部５２を備えている。安否確認装置２ａは、リモコン５３が発するリモコン信号５４を受光するリモコン受光部５５を備えている。
【００５９】
安否確認装置２ａは、親子電話の子機が発する無線信号と同じ周波数帯の無線信号５６によって、親子電話の親機としての機能を備えた電話機５７と通信可能である。電話機５７は電話コード５８によってモジュラージャック５９に接続され、モジュラージャック５９を介してネットワーク６ａに接続されている。
【００６０】
図１０を参照して、安否確認装置２ａは、スピーカ１１ａと、検出部１２ａと、入力部１３ａと、記憶部１４ａと、表示部１５ａと、制御部１６ａと、無線部１７ａとを備えいる。記憶部１４ａに格納されている情報の構成は、図３に示される記憶部１４と同じである。検出部１２ａは、リモコン受光部５５がリモコン信号５４を受光したことを検出する。
【００６１】
図１１を参照して、入力部１３ａは、入力キー６２と、お出かけボタン６４と、リモコン受光部５５とを備えている。お出かけボタン６４は、少なくともオン状態とオフ状態の２つのモードの中から１つのモードを選択するために用いられる。
【００６２】
以上の構成を備えた安否確認装置２ａの動作を以下において説明する。図１２を参照して、ステップＳ３２〜Ｓ３５は、ステップＳ２〜Ｓ５と同一の動作である。
【００６３】
ユーザは、旅行などで数日間以上留守にするときに、お出かけボタン６４をオン状態にする（ステップＳ３６Ｙｅｓ）。メール配信プログラム２０は、ユーザが出かけたことを知らせるメッセージを電話機５７を介して配信先アドレス３４に送る（ステップＳ３８）。メール配信プログラム２０は、不使用期間２６をリセットし、更に不使用期間２６をカウントすることを停止して、ステップＳ３５に移行する（ステップＳ４０）。
【００６４】
ユーザは、帰宅すると、お出かけボタン６４をオフ状態にする（ステップＳ４２Ｙｅｓ）。メール配信プログラム２０は、ユーザが帰宅したことを知らせるメッセージを電話機５７を介して配信先アドレス３４に送る（ステップＳ４４）。メール配信プログラム２０は、不使用期間２６のカウントを再開する（ステップＳ４６）。
【００６５】
こうした安否確認装置２ａによれば、ユーザが旅行などで住まいを留守にするときにユーザの関係者に無駄に配信メッセージが送信されることがない。更に、ユーザが旅行などで住まいを留守にするときと帰宅したときにその旨を知らせるメッセージがワンタッチで関係者に送信され、簡易な手段でユーザの状況が関係者に分かる。お出かけボタンが、単一の機能に対応するボタンとして設けられていることによって、電気機器の使用に不慣れな高齢者が使用することに抵抗が少なくなる。あるいは、身体の動きに不自由のある者が使用しやすい。
【００６６】
入力部１３ａに対して任意の操作が加えられたことを検出部１２ａが検出すると（ステップＳ４７Ｙｅｓ）、メール配信プログラム２０は、不使用期間２６をゼロにして、ステップＳ３５に移行する（ステップＳ４８）。メール配信プログラム２０は、入力部１３ａに対して操作が加えられないとき、ステップＳ４９に移行する（ステップＳ４７Ｎｏ）。
【００６７】
メール配信プログラム２０は、不使用期間２６がメッセージ配信確認時間２８を越えていないとき、ステップＳ３５に移行する（ステップＳ４８Ｎｏ）。不使用期間２６がメッセージ配信確認時間２８を越えたとき（ステップＳ４８Ｙｅｓ）、メール配信プログラム２０は表示部１５ａに安否確認装置２ａのユーザに対して注意を促す確認メッセージを表示させる（ステップＳ５０）。確認メッセージとともにユーザに注意を促す音声がスピーカ１１ａから出力されることが好ましい。
【００６８】
安否確認装置２ａは、ステップＳ５０より後において、図７に示される安否確認装置２と同じ動作をする。
【００６９】
こうした安否確認装置２ａは、ユーザの安否を確認する情報を関係者に伝えるために家電製品のリモコン及び親子電話機の通信機能を用いているため、導入あるいは使用にかかる費用が小さい。
【図面の簡単な説明】
【００７０】
【図１】図１は、安否確認装置が使用されるネットワーク環境を示す。
【図２】図２は、安否確認装置の構成を示す。
【図３】図３は、記憶部の構成を示す。
【図４】図４は、設定画面を示す。
【図５】図５は、表示画面を示す。
【図６】図６は、安否確認装置の動作を示すフローチャートである。
【図７】図７は、安否確認装置の動作を示すフローチャートである。
【図８】図８は、安否確認装置が使用されるネットワーク環境を示す。
【図９】図９は、安否確認装置が設置される場所の環境を示す。
【図１０】図１０は、安否確認装置の構成を示す。
【図１１】図１１は、入力部の構成を示す。
【図１２】図１２は、安否確認装置の動作を示すフローチャートである。
【符号の説明】
【００７１】
２…安否確認装置
４…携帯電話機
５…固定電話機
６…ネットワーク
８…基地局
１１…スピーカ
１２…検出部
１３…入力部
１４…記憶部
１５…表示部
１６…制御部
１７…無線部
２０…メール配信プログラム
２１…設定画面
２２…表示画面
２４…最新使用時間
２６…不使用期間
２８…メッセージ配信確認時間
３０…メッセージ配信時間
３２…メッセージ再配信時間
３４…配信先アドレス
３６…配信メッセージ
４２…メッセージ配信時間入力欄
４４…配信先アドレス入力欄
４６…配信メッセージ選択欄
４８…オプション欄
４９…メッセージ配信時間表示窓
５１…テレビ
５２…リモコン受光部
５３…リモコン
５４…リモコン信号
５５…リモコン受光部
５６…無線信号
５７…電話機
５８…電話コード
５９…モジュラージャック
６２…入力キー
６４…お出かけボタン
【図１】
2005057513.tif 000003
【図２】
2005057513.tif 000004
【図３】
2005057513.tif 000005
【図４】
2005057513.tif 000006
【図５】
2005057513.tif 000007
【図６】
2005057513.tif 000008
【図７】
2005057513.tif 000009
【図８】
2005057513.tif 000010
【図９】
2005057513.tif 000011
【図１０】
2005057513.tif 000012
【図１１】
2005057513.tif 000013
【図１２】
2005057513.tif 000014